(57)【要約】【課題】搭載されている任意の定着器を使用して印刷ジョブを処理すると、定着器を損傷させてしまう恐れがある。【解決手段】  印刷ジョブの実行要求をユーザから受信すると印刷ジョブの仕様を決定し、画像作成装置に装着されているパーツの識別情報を抽出し、パーツが、決定された印刷ジョブの仕様に対して識別されたパーツである場合は印刷ジョブを処理し、そうでない場合はユーザに通知して、パーツの取替え、印刷ジョブの仕様変更、印刷ジョブの実行を選択させる。【選択図】図３
2011056945.tif 000002
【特許請求の範囲】
【請求項１】
印刷ジョブの実行要求をユーザから受信するステップと、
印刷ジョブの仕様を決定するステップと、
画像作成装置に装着されているパーツ識別装置を検出して対応パーツの識別情報を抽出するステップと、
前記画像作成装置に装着されている検出されたパーツが、決定された印刷ジョブの仕様に対して、抽出されたパーツ識別情報に基づいて、識別されたパーツであるかどうかを決定するステップと、
を含み、
前記画像作成装置に装着されている検出されたパーツが、決定された印刷ジョブ仕様に対して識別されたパーツであると決定されるならば、その印刷ジョブを処理するステップと、
前記画像作成装置に装着されている一個または複数個の検出されたパーツが、決定された印刷ジョブ仕様に対して識別されたパーツではないと決定されるならば、
その一個または複数個の装着されているパーツが、決定された印刷ジョブ仕様に対して識別されたパーツではないということを、ユーザインタフェースを使用してユーザに通知するステップと、
前記ユーザインタフェースを使用して、その一個または複数個の装着されているパーツを取り替えたり、その印刷ジョブ仕様を変更したり、あるいはその印刷ジョブを遂行したりすることの選択をユーザに促すステップと、
を含むことを特徴とする画像作成装置のパーツ識別方法。
【請求項２】
請求項１記載の画像作成装置のパーツ識別方法において、
一個または複数個の装着されているパーツが、識別されなかったかどうかを決定するステップと、
その一個または複数個の装着されているパーツが識別されなかったと決定されるならば、ユーザを促して、その一個または複数個の装着されているパーツを識別するステップと、
その一個または複数個の装着されているパーツに対応する識別情報をユーザから受信するステップと、
その受信した識別情報をメモリに記憶するステップと、
をさらに含むことを特徴とする画像作成装置のパーツ識別方法。
【請求項３】
請求項１記載の画像作成装置のパーツ識別方法において、
ユーザが印刷ジョブを続けるのを選ぶならば、印刷ジョブの仕様用に識別されなかったその一個または複数個の装着されているパーツを使用すると、その一個または複数個の装着されているパーツに損傷を与える恐れがあるということをユーザに警告する警告文を前記画像作成装置の前記ユーザインタフェースを使用してユーザに送るステップを含むことを特徴とする画像作成装置のパーツ識別方法。
【請求項４】
請求項１記載の画像作成装置のパーツ識別方法において、
前記パーツ識別装置は、カスタマ取り替え可能ユニットモニタタグ、ＩＣチップ、又はＲＦＩＤタグの中の一つであることを特徴とする画像作成装置のパーツ識別方法。
【発明の詳細な説明】
【技術分野】
【０００１】
本発明は、画像作成装置におけるパーツ識別方法、及びに対応する装置とコンピュータ読み取り可能媒体に関する。
【背景技術】
【０００２】
画像作成装置の特定の適用向けに使用される相互取り替え可能パーツが、別のパーツまたはツールをその装置に使用すべき時に、間違った適用または条件で使用される可能性がある。例えば、電子写真への適用において、ユーザが相異なる幅の媒体で印刷する際に、各媒体幅に対して同一の定着器（ｆｕｓｅｒ）を使用すると、画像品質不良が定着器において生じる恐れがある。その結果、ユーザにはカスタマ取り替え可能ユニット（ＣＲＵ）の形で複数の定着器（それぞれは異なる媒体幅に対応している）を提供することは可能である。例えば、一つは小さなサイズ向けに、他は大きなサイズ向けなどとするのである。
【先行技術文献】
【特許文献】
【０００３】
【特許文献１】米国特許第７４３２８１７号明細書
【特許文献２】米国特許第７０５３７７６号明細書
【特許文献３】米国特許第６９４０６１３号明細書
【発明の概要】
【発明が解決しようとする課題】
【０００４】
しかしながら、従来の画像作成装置は、定着器の相違を識別しないので、搭載されている任意の定着器を使用して印刷ジョブを処理すると、定着器を損傷させてしまう恐れがある。
【課題を解決するための手段】
【０００５】
画像作成装置に使用のパーツを識別する方法と装置が開示される。同方法は、印刷ジョブの実行リクエストをユーザから受信するステップと、印刷ジョブの仕様を決定するステップと、画像作成装置に装着されているパーツ識別装置を検出して対応パーツの識別情報を抽出するステップと、画像作成装置に装着されている検出されたパーツが、決定された印刷ジョブの仕様に対して、抽出されたパーツ識別情報に基づいて、識別されたパーツであるかどうかを決定するステップと、そして画像作成装置に装着されている検出されたパーツが、決定された印刷ジョブ仕様に対して識別されたパーツであると決定されるならば、その印刷ジョブを処理し、そうでなく、画像作成装置に装着されている一個または複数個の検出されたパーツが、決定された印刷ジョブ仕様に対して識別されたパーツではないと決定されるならば、その一個または複数個の装着されているパーツが、決定された印刷ジョブ仕様に対して識別されたパーツではないということを、ユーザインターフェースを使用してユーザに通知するステップと、ユーザインターフェースを使用してユーザを促して、その一個または複数個の装着されているパーツを取り替えたり、印刷ジョブの仕様を変更したり、あるいはその印刷ジョブを遂行したりすることを選択させるステップを含む。
【図面の簡単な説明】
【０００６】
【図１】本実施の形態における画像作成装置の一例を示した図である。
【図２】本実施の形態における画像作成装置の一例を示したブロック図である。
【図３】本実施の形態におけるパーツ識別処理の一例を示したフローチャートである。
【図４】本実施の形態における定着器ロールに取り付けられた識別装置の一例を備える定着器ロールアセンブリを示した図である。
【図５】本実施の形態における識別装置の一例を示した図である。
【発明を実施するための形態】
【０００７】
本明細書に開示される実施の形態の態様は、画像作成装置におけるパーツ識別方法、及び対応する機器とコンピュータ読み取り可能媒体に関する。
【０００８】
開示された実施の形態は、画像作成装置のパーツを識別する方法を含み得る。同方法は、印刷ジョブの実行リクエストをユーザから受信するステップと、印刷ジョブの仕様を決定するステップと、画像作成装置に装着されているパーツ識別装置を検出して対応パーツの識別情報を抽出するステップと、画像作成装置に装着されている検出されたパーツが、決定された印刷ジョブの仕様に対して、抽出されたパーツ識別情報に基づいて、確認されたパーツであるかどうかを決定するステップと、そして画像作成装置に装着されている検出されたパーツが、決定された印刷ジョブ仕様に対して確認されたパーツであると決定されるならば、その印刷ジョブを処理するステップと、そうでなく、画像作成装置に装着されている一個または複数個の検出されたパーツが、決定された印刷ジョブ仕様に対して確認されたパーツではないと決定されるならば、その一個または複数個の装着されているパーツが、決定された印刷ジョブ仕様に対して確認されたパーツではないということを、ユーザインタフェースを使用してユーザに通知するステップと、ユーザインタフェースを使用してユーザを促して、その一個または複数個の装着されているパーツを取り替えたり、印刷ジョブの仕様を変更したり、あるいはその印刷ジョブを遂行したりすることを選択させるステップを含み得る。
【０００９】
開示される実施の形態は、画像作成装置をさらに含み得る。同装置は、情報を表示し、ユーザから選択項目を受信するユーザインタフェースと、画像作成装置に装着されているパーツの識別装置を検出して対応パーツの識別情報を抽出するパーツ検出器と、パーツ識別ユニットとを備え得る。パーツ識別ユニットは、印刷ジョブの実行リクエストをユーザから受信し、印刷ジョブの仕様を決定し、画像作成装置に装着されているパーツ識別装置を検出して対応パーツの識別情報を抽出し、パーツ検出器で検出された識別装置から、抽出されたパーツ識別情報を受信し、画像作成装置に装着されている検出されたパーツが、決定された印刷ジョブの仕様に対して、抽出されたパーツ識別情報に基づいて、認識されたパーツであるかどうかを決定し、そして画像作成装置に装着されている検出されたパーツが、決定された印刷ジョブ仕様に対して識別されたパーツであると決定されるならば、その印刷ジョブを処理し、そうでなく、画像作成装置に装着されている一個または複数個の検出されたパーツが、決定された印刷ジョブ仕様に対して認識されたパーツではないと決定されるならば、その一個または複数個の装着されているパーツが、決定された印刷ジョブ仕様に対して認識されたパーツではないということを、ユーザインタフェースを使用してユーザに通知し、ユーザインタフェースを使用してユーザを促して、その一個または複数個の装着されているパーツを取り替えたり、印刷ジョブの仕様を変更したり、あるいはその印刷ジョブを遂行したりを選択させるものである。
【００１０】
開示される実施の形態は、コンピュータ装置を制御し、かつ画像作成装置に装填のパーツを識別するための命令を記憶するコンピュータ読み取り可能の媒体をさらに含み得る。同命令は、印刷ジョブの実行リクエストをユーザから受信するステップと、印刷ジョブの仕様を決定するステップと、画像作成装置に装着されているパーツ識別装置を検出して対応パーツの識別情報を抽出するステップと、画像作成装置に装着されている検出されたパーツが、決定された印刷ジョブの仕様に対して、抽出されたパーツ識別情報に基づいて、認識されたパーツであるかどうかを決定するステップと、そして画像作成装置に装着されている検出されたパーツが、決定された印刷ジョブ仕様に対して認識されたパーツであると決定されるならば、その印刷ジョブを処理し、そうでなく、画像作成装置に装着されている一個または複数個の検出されたパーツが、決定された印刷ジョブ仕様に対して認識されたパーツではないと決定されるならば、その一個または複数個の装着されているパーツが、決定された印刷ジョブ仕様に対して認識されたパーツではないということを、ユーザインタフェースを使用してユーザに通知するステップと、ユーザインタフェースを使用してユーザを促して、その一個または複数個の装着されているパーツを取り替えたり、印刷ジョブの仕様を変更したり、あるいはその印刷ジョブを遂行したりすることを選択させるステップを含み得る。
【００１１】
開示される実施の形態は、ユーザが、ユーザインタフェース経由で機械品、電気品、または消耗品と相互作用し、画像作成装置に装着されているパーツの識別が可能になるプロセスに関する。例えば、ある実例では、ユーザは、画像作成装置の能力に基づいて特定の適用にのみ使用されるパーツを一意的に識別したい場合もある。最初に装着した時は、パーツと画像作成装置の相互作用は、デフォルトとし、制約を設けないようにできる。しかし、ユーザ応答スクリーンまたはユーザ応答プロセスを始動させ、ユーザが「デフォルト受け入れ」を選択したり、特定の入力に基づいてパーツを識別し、画像作成装置が、電子写真マシンのケースではペーパーのサイズのような特徴機能に対応するようにしたりもできる。
【００１２】
この入力に基づいて、画像作成装置は、特定の入力に基づく動作をスクリーン上に表示し、ユーザ定義特性に係わる制約にマッチした操作に限定して操作し得る。ユーザ定義パーツにコンフリクトが認識されると、画像作成装置は、オペレータを促して、幾つかのタイプの動作を実行させ得る。例えば、限定するものではないが、そのパーツを取り替えさせたり、そのコンフリクトを無視させたり、あるいは他の適切な動作を行わせたりをし得る。情報は、メモリタグ、例えば、カスタマ取り替え可能ユニットモニタ（ＣＲＵＭ）タグ、集積回路チップ、または無線周波数識別（ＲＦＩＤ）タグに記憶し得る。これらのメモリタグは、パーツまたはコンポーネントに取り付けられ、あるいは一体化され、コンフリクトはスクリーン上に示される。
【００１３】
特定のパーツには、メモリタグを一緒にアセンブリできる。または、後から装着したり、改造したりもできる。パーツが画像作成装置に装着されると、画像作成装置は、そのメモリタグを検出し、読み取ることができる。ユーザを促して、パーツの特性に基づいて識別（ＩＤ）評価基準を入力し得る。この識別情報は、メモリタグ及び／又は画像作成装置のメモリに記憶され、今後のコンフリクトの解消のための特性として使用し得る。ＩＤ情報は、リクエストされた動作がＩＤ評価基準に違反するかどうかをオペレータに知らせるのに使用し得る。多数のパラメータ、例えば、媒体サイズ、タイプ、仕上げなどを入力し得る。例えば、プリンタに適用される評価基準としては、画像作成装置で定義される紙のサイズまたは範囲、例えば、８インチ、１１インチ、１２インチ、および最大幅、紙重量、または競合検出に使用し得る他の属性などが挙げられる。
【００１４】
定着技術におけるさらなる例として、定着器は、紙幅に基づく摩耗によって不具合が生じ易い。電子写真定着器の業界では、特定の重量とサイズを有する媒体の使用に基づいて定着器ロールに導入される摩耗マークを有するのが普通である。以降に提出される印刷ジョブが、定着器ロール上の摩耗マークをオーバーラップする広幅の紙と画像領域を使用するもので、画質不良が目に見えるようなれば、ユーザにとって多くは好ましくないので、想定時間以前にロールの取り替えを行わなければならない。例えば、１１インチ幅の紙媒体専用の定着器は、１１インチというＩＤ値を有するだろう。入って来るジョブが、１１インチ幅とは相異なる、例えば、１２インチ幅の紙媒体が必要ならば、画像作成装置は、ユーザが無視しない限りその印刷ジョブを遂行しないことになろう。この方法では、画像作成装置は、オペレータにミスマッチを通知し、オペレータは、現在の装置で印刷を続けるか、あるいはパーツを取り外して評価基準を満たすパーツと取り替えるかのいずれかにし得るのである。
【００１５】
このプロセスの価値は、特定のサイズの紙を使用するユーザが、パーツの寿命を最大限にし、同時に、良好な画質を維持し、稼働時間対パーツ修理または取り替えサービスに要する待機時間の比を大きくし得ることである。現行の戦略を用いれば、多数の定着器を現場に保有して置き、ユーザが特定のサイズの媒体に合った定着器にスイッチ可能なようにし得る。開示される実施の形態を用いれば、自動プロセスが提供され、画像作成装置の識別されたパーツを間違って使用してしまうことが防止され、さらにそのようなミスマッチが起これば、ユーザに通知することが可能になる。
【００１６】
このプロセスの利点として挙げ得るのは、サイズまたは他の区別し得る大きさに基づく相異なる摩耗特性を有するコンポーネントの寿命を延ばしたり、間違って生じてしまう損傷を防止したり、相異なる寿命特性を有するコンポーネントにスイッチしたときに生ずる画質不良率を減少させたり、いろいろな寿命特性を有する複数のサイズの媒体または装置を使用したときのユーザ稼働時間を延ばしたりなどである。
【００１７】
図１は、本開示の可能な実施の形態の一つに基づく画像作成装置の例を示す図である。画像作成装置１００は、画像作成書類（例えば、印刷書類、コピーなど）を作成することが可能などのような装置でもよく、例えば、コピー機、プリンタ、ファクシミリ装置、および多機能装置（ＭＦＤ）などである。
【００１８】
画像作成装置１００は、画像信号が所望の画像を作成するのに使用されるハードウェアを備える画像作成部１２０、画像が印刷されるシートを収納し、分配するスタンドアロンの給紙部１１０、および重ねたり、折ったり、留めたり、綴じたりするハードウェアを備える出力部１３０を有し、マーキングエンジンからの出力であるプリントを行う。また、画像作成装置１００がコピー機としても操作可能なら、画像作成装置１００は、オリジナルのハードコピー画像から光反射された信号をデジタル信号に変換し、さらに処理して、画像作成部１２０でコピーを作成するように操作される原稿送り装置１４０を備え得る。また、画像作成装置１００は、操作を制御するためのローカルのユーザインタフェース１５０も備え得る。もっとも、画像データと命令の別のソースは、任意の数のコンピュータを備え、これらにプリンタをネットワーク経由で接続することもできる。
【００１９】
給紙部１１０を参照すると、この部分は、任意の数のトレー１６０を備え得る。各トレーには、既定のタイプ（サイズ、重さ、カラー、コーティング、透明性など）の媒体スタック１７０、すなわち印刷用紙（「媒体」）が格納され、指示通りにその中の用紙の一枚をディスペンスするフィーダを備え得る。ある種のタイプの媒体は、適切にディスペンスするには特別な取り扱いが必要なこともある。例えば、より重い、より大きい媒体は、媒体スタック１７０の一番上の用紙（複数を含む）に向かって作用する空気圧を利用する空気ナイフ、フラッファ、真空グリップ、または他の装置（図示せず）を利用して、媒体スタック１７０から引き出すようにし得ることが好ましい。ある種のタイプのコーティングされた媒体は、熱の適用、例えば、高温の空気の流れ（図示せず）を使用して媒体スタック１７０から引き出すようにし得ることが有利である。選択されたトレー１６０上の媒体スタック１７０から引き出された媒体シートは、次いで、画像作成部１２０に移動され、その上に一個または複数個の画像が受信されてもよい。そして、印刷されたシートは、出力部１３０に移送され、技術になじみ深いやり方で照合されたり、留められたり、折られたり、穿孔されたり、などが行われる。
【００２０】
図２は、本実施の形態における画像作成装置１００の一例を示したブロック図である。画像作成装置１００は、バス２１０、プロセッサ２２０、メモリ２３０、読取専用メモリ（ＲＯＭ）２４０、パーツ識別ユニット２５０、給紙部１１０、出力部１３０、ユーザインタフェース１５０、通信インタフェース２８０、画像作成部１２０、およびパーツ検出器２７０を有してもよい。バス２１０は、画像作成装置１００のコンポーネント間の通信を可能にする。
【００２１】
プロセッサ２２０は、命令を解釈・実行する少なくとも一つの従来のプロセッサまたはマイクロプロセッサを備え得る。メモリ２３０は、プロセッサ２２０が実行するに必要な情報と命令を記憶するランダムアクセスメモリ（ＲＡＭ）または別のタイプのダイナミック記憶装置でよい。また、メモリ２３０としては、読取専用メモリ（ＲＯＭ）を含めてもよい。ＲＯＭとしても、従来のＲＯＭまたはプロセッサ２２０に必要なスタティック情報と命令を記憶する別のタイプのスタティック記憶装置を含めてもよい。
【００２２】
通信インタフェース２８０は、ネットワーク経由で通信を容易にするどのようなメカニズムも含めてもよい。例えば、通信インタフェース２８０としては、モデムを含めてもよい。別法として、通信インタフェース２８０としては、他の装置／またはシステムとの通信をアシストするための他のメカニズムも含めてもよい。
【００２３】
ＲＯＭ２４０としては、従来のＲＯＭ装置またはプロセッサ２２０に必要なスタティック情報と命令を記憶する別のタイプのスタティック記憶装置を含めてもよい。記憶装置は、ＲＯＭを拡張し得るもので、どのようなタイプの記憶媒体、例えば、磁気記録媒体や光学記録媒体やこれらに対応する駆動装置を含めてもよい。
【００２４】
ユーザインタフェース１５０は、ユーザが画像作成装置１００に情報を入力し、これと相互作用させることを可能にする従来のメカニズム、例えば、キーボード、ディスプレイ、マウス、ペン、音声認識装置、タッチパッド、ボタンなどを一個または複数個を有してもよい。出力部１３０は、画像作成書類をユーザに出力する従来のメカニズム、例えば、出力トレー、出力パス、仕上げ部などを一個または複数個を有してもよい。画像作成部１２０は、画像印刷および／またはコピー部、スキャナ、定着器などを備えてもよい。
【００２５】
パーツ検出器２７０は、識別装置、例えば、ＣＲＵＭタグ、ＲＦＩＤタグ、またはＩＣチップなどを検出可能のどのような装置でもよい。パーツ検出器２７０は、パッシブ識別装置を検出したり、当業者に既知のアクティブ識別装置から信号を受信したりが可能なタイプでよい。注記するが、パッシブ装置としては、パーツ検出器２７０が、例えば、パーツ間の差を認識し得るヒューズリンクまたは他の機械的調整品の使用を含み得る。
【００２６】
画像作成装置１００は、コンピュータ読み取り可能な媒体、例えば、メモリ２３０などに含まれる一連の命令を実行することによって、プロセッサ２２０に対応してそのような機能を実行し得る。そのような命令は、別のコンピュータ読取可能な媒体、例えば、記憶装置から、または通信インタフェース２８０経由で別個の装置からメモリ２３０に読み込んでもよい。
【００２７】
図１と２に図示した画像作成装置１００とこれに関連する議論は、本開示を実装し得る好適な通信環境と処理環境の概要を簡潔に説明するためである。必ずしも必要でないが、本開示は、少なくとも部分的には、コンピュータ実行可能の命令、例えば、プログラムモジュールなどが、画像作成装置１００、例えば、通信サーバ、通信スイッチ、通信ルータ、または汎用計算機で実行されるという一般的文脈で、以下に記載される。
【００２８】
一般に、プログラムモジュールは、ルーチンプログラム、オブジェクト、コンポーネント、データストラクチャなど、特定のタスクを実行したり、または特定のタイプの抽象データを実装したりするものを含む。そのうえ、当業者なら理解することであるが、本開示の他の実施の形態は、多くのタイプの通信機器とコンピュータシステム構成、例えば、パーソナルコンピュータ、携帯端末、マルチプロセッサシステム、マイクロプロセッサ装着またはプログラマブル家庭用エレクトロニクスなどで、印字を表示可能であり、画像作成装置でスキャンし得るものを備える通信ネットワーク環境で実施し得る。
【００２９】
パーツ識別ユニット２５０のコンポーネントとパーツ識別プロセスについては、以下に図３のフローチャートに関連して議論される。
【００３０】
図３は、本実施の形態のパーツ識別プロセスの一例を示したフローチャートである。本方法は、ステップ３１００に始まり、３２００に続く。このステップで、パーツ識別ユニット２５０がユーザから印刷ジョブの実行リクエストを受信してもよい。ステップ３３００では、パーツ識別ユニット２５０は、印刷ジョブの仕様を決定してもよい。印刷ジョブの仕様としては、リクエストされた印刷ジョブの、例えば、サイズ、タイプ、仕上げなどを挙げ得る。
【００３１】
ステップ３４００において、パーツ検出器２７０は、画像作成装置に装着されているパーツの識別装置を検出し、対応するパーツ識別情報を抽出してもよい。しかし、パーツ識別ユニット２５０は、代わりにパーツ検出器２７０から受信した生の検出データから対応するパーツ識別情報を抽出してもよい。次いで、パーツ識別ユニット２５０は、パーツ検出器２７０によって検出された識別装置から抽出されたパーツ識別情報を受信してもよい。
【００３２】
ステップ３５００において、パーツ識別ユニット２５０は、画像作成装置１００に装着されている検出されたパーツが、決定された印刷ジョブの仕様に対して、抽出されたパーツ識別情報に基づいて、識別されたパーツであるかどうかを決定してもよい。パーツ識別ユニット２５０が、画像作成装置１００に装着されている検出されたパーツは、決定された印刷ジョブ仕様に対して識別されたパーツであると決定すれば、ステップ３６００で、パーツ識別ユニット２５０は、その印刷ジョブを処理し得る。
【００３３】
ステップ３５００において、パーツ識別ユニット２５０は、画像作成装置１００に装着されている一個または複数個の検出されたパーツが決定された印刷ジョブ仕様に対して識別されたパーツではないと決定すれば、手順は、ステップ３７００に進んでよい。そのステップでは、パーツ識別ユニット２５０は、その一個または複数個の装着されているパーツが、決定された印刷ジョブ仕様に対して識別されたパーツではないということを、ユーザインタフェースを使用して、ユーザに通知してもよい。
【００３４】
ステップ３８００において、パーツ識別ユニット２５０は、ユーザインタフェースを使用してユーザを促して、その一個または複数個の装着されているパーツを取り替えたり、印刷ジョブの仕様を変更したり、あるいはその印刷ジョブを遂行したりを選択させてもよい。ユーザが、印刷ジョブを続けるのを選ぶならば、パーツ識別ユニット２５０は、印刷ジョブの仕様用に識別されなかったその一個または複数個の装着されているパーツを使用して、ユーザに警告する警告文を画像作成装置１００のユーザインタフェース１５０上のユーザに送って、その一個または複数個の装着されているパーツに損傷を与える恐れがあると警告してもよい。次いで、手順は、ステップ３９００に行き、終わりとなり得る。
【００３５】
注記するが、パーツ識別ユニット２５０は、一個または複数個のパーツについてユーザからパーツ識別情報を受信し、受信したパーツ識別情報をメモリ２３０に記憶してもよい。さらに、画像作成装置１００の操作の間、パーツ識別ユニット２５０は、一個または複数個の装着されているパーツが識別されなかったかどうかを決定してもよい。その場合は、パーツ識別ユニット２５０は、ユーザインタフェース１５０を使用してユーザに促し、その一個または複数個の装着されたパーツを識別させ、ユーザインタフェース１５０からその一個または複数個の装着されたパーツに対応する識別情報をユーザから受信し、その受信した識別情報をメモリ２３０に記憶し得る。
【００３６】
図４は、本実施の形態における定着器ロール４１０に取り付けられた識別装置４２０の一例を備える定着器ロールアセンブリ４００を示した図である。識別装置４２０は、画像作成装置１００に装着されたどのようなパーツにも、例えば、取り付けたり、または埋め込みしたりし得る。
【００３７】
注記するが、定着器ロール４１０が、画像作成装置１００の可能な装着されたパーツの一つとして示され、これが、印刷ジョブ特有の部品として識別され、かつ識別装置４２０をこれに取り付け得るものとしている。しかし、開示の実施の形態は、定着器ロール４１０に限定されず、識別装置４２０を有する他の装着されたパーツ、例えば、定着器ロールモジュール、圧力ロール、または穿孔セットも含み得る。従って、例えば、ある種のタイプの媒体が、ある種の方法で穿孔されるものとして選択された場合、装着されている穿孔セットが、印刷／穿孔のジョブには適しない可能性があり、印刷ジョブがもし処理されることがあれば、損傷を受けることもあり得る。この場合、開示の手順は、適切な穿孔セットを使用することによって、装着された穿孔セットへの損傷を避けるべきであるとユーザに警告することになろう。
【００３８】
図５は、本実施の形態における識別装置の一例を示した図である。識別装置４２０は、情報を記憶するためのメモリ５４０を有するエレクトロニクス装置５２０、および識別装置４２０と情報を双方向通信するための通信ユニット５１０を備えてもよい。プロセッサまたは中央演算処理装置（ＣＰＵ）５５０は、コンピュータ能力および他の能力を提供し得る。インタフェース装置５３０は、ＣＰＵ５５０、メモリ５４０、および通信ユニット５１０に接続してもよい。この特定の構成は、識別装置４２０向けに示されているが、それは単に説明のために示されているだけである。他の多くの構成が、利用可能であり、当業者に既知であり、開示の実施の形態に記載の手順の目的に使用し得るからである。
【００３９】
通信ユニット５１０は、パーツ検出器２７０のような別の装置と無線通信リンクを確立するための無線（または有線）通信ユニットとしてもよい。通信ユニット５１０は、パーツ検出器２７０または、例えば、当業者に既知の他の検出装置と無線周波数通信リンクを確立するための無線周波数（ＲＦ）アンテナを備えてもよい。
【００４０】
識別装置４２０は、どのような既知の識別装置、例えば、カスタマ取り替え可能ユニットモニタ（ＣＲＵＭ）タグ、ＩＣチップ、または無線周波数識別（ＲＦＩＤ）タグをも含み得る。この方法では、識別装置４２０は、識別装置４２０に取り付けられた、または埋め込まれたバッテリ（図示せず）のような電源から給電されるアクティブ素子でもよい。別法として、識別装置４２０は、パッシブ型でもよい。そのようなパッシブ素子は、別の装置、例えば、識別装置４２０を照会するパーツ検出器２７０、または識別装置４２０に識別情報または他の情報を伝達し得るパーツ識別ユニット２５０から受信するＲＦ信号でエネルギーが与えられる。パーツ検出器２７０または識別装置４２０から得られるエネルギーは、ＲＦアンテナとインタフェースエレクトロニクスを一時的に働かすためには十分であるので、ＲＦアンテナが、情報を受信したり、伝達したりすることが可能となる。
【符号の説明】
【００４１】
１００  画像作成装置、１１０  給紙部、１２０  画像作成部、１３０  出力部、１４０  原稿送り装置１５０  ユーザインタフェース、１６０  トレー、１７０  媒体スタック、２１０  バス、２２０，５５０  プロセッサ、２３０，５４０  メモリ、２４０  ＲＯＭ、２５０  パーツ識別ユニット、２７０  パーツ検出器、２８０  通信インタフェース、４００  定着器ロールアセンブリ、４１０  定着器ロール、４２０  識別装置、５１０  通信ユニット、５２０  エレクトロニクス装置、５３０  インタフェース装置。
【図１】
2011056945.tif 000003
【図２】
2011056945.tif 000004
【図３】
2011056945.tif 000005
【図４】
2011056945.tif 000006
【図５】
2011056945.tif 000007